(57)【要約】      （修正有）【課題】左右の建物が異なる前後方向に揺れ動いても、目地部に三角形状の隙間が生じるのを防止でき、壁用目地装置の下端部を同一平面で支持でき、スムーズなスライド移動が可能で、美観の向上を図ることができる床用目地装置を得る。【解決手段】一方の建物３に形成された凹部５と、この凹部のほぼ中央部に先端部が位置し、後端部が他方の建物の枢支ピン１０で枢支された支持フレーム１３と、後端部が他方の建物の目地部側床躯体に枢支ピンで枢支され、先端部が凹部の中央部に位置して、スライド移動可能な一対の端部支持バー１４と、この先端部を常時側壁方向に付勢する一対の付勢機構１５と、スライド移動可能に支持された多数個の目地プレート１６と、左右の建物が異なる前後方向に揺れ動いた場合には傾斜状態に位置させることができる目地プレート位置決め機構１７と、凹部内に位置する目地プレートおよび一方の建物の目地部側床躯体のカバープレート１８とで構成する。【選択図】図１
2005082997.tif 000002
【特許請求の範囲】
【請求項１】
目地部を介して設けられた左右の建物の、一方の建物の目地部側床躯体に形成された凹部と、この凹部のほぼ中央部に先端部が該凹部内をスライド移動可能に位置し、後端部が該凹部と対応する部位の他方の建物の目地部側床躯体の両端部を除く部位に枢支ピンで枢支された複数個の支持バーを用いた支持フレームと、この支持フレームの両端部に位置するように後端部が他方の建物の目地部側床躯体に枢支ピンで枢支され、先端部が前記凹部の中央部に位置して、該凹部内をスライド移動可能な一対の端部支持バーと、この一対の端部支持バーの先端部を常時側壁方向に付勢する一対の付勢機構と、前記支持フレームおよび前記一対の端部支持バーに前後方向にスライド移動可能に支持された多数個の目地プレートと、この多数個の目地プレートを常時並列状態に位置させ、左右の建物が異なる前後方向に揺れ動いた場合には傾斜状態に位置させることができる目地プレート位置決め機構と、前記凹部内に位置する目地プレートおよび該凹部を覆うように一方の建物の目地部側床躯体に取付けられたカバープレートとからなることを特徴とする床用目地装置。
【請求項２】
目地部を介して設けられた左右の建物の、一方の建物の目地部側床躯体に形成された凹部と、この凹部のほぼ中央部に先端部が該凹部内をスライド移動可能に位置し、後端部が該凹部と対応する部位の他方の建物の目地部側床躯体に固定されたレールにスライド移動可能に支持される、該凹部の両端部を除く部位に位置する複数個の支持バーを用いた支持フレームと、この支持フレームを常時前記凹部の中央部に位置するように、該支持フレームの四隅寄りの部位に取付けられた付勢スプリングを用いた付勢機構と、前記支持フレームに前後方向にスライド移動可能に支持された、前記凹部の前後方向の寸法とほぼ同じ寸法の多数個の目地プレートと、この多数個の目地プレートを常時並列状態に位置させ、左右の建物が異なる前後方向に揺れ動いた場合には、前記他方の建物の目地部側の床躯体を起点として傾斜状態に位置させることができる目地プレート位置決め機構と、前記凹部内に位置する目地プレートおよび該凹部を覆うように一方の建物の目地部側床躯体に取付けられたカバープレートとからなることを特徴とする床用目地装置。
【請求項３】
目地部を介して設けられた左右の建物の、一方の建物の目地部側床躯体に形成された凹部と、この凹部のほぼ中央部に先端部が該凹部内を左右方向にスライド移動可能に位置し、後端部が該凹部と対応する部位の他方の建物の目地部側床躯体に固定されたレールに前後方向にスライド移動可能に支持される複数個の支持バーを用いた支持フレームと、この支持フレームに前後方向にスライド移動可能に支持された、前記凹部の前後方向の寸法とほぼ同じ寸法の多数個の目地プレートと、この多数個の目地プレートを常時並列状態に位置させ、左右の建物が異なる前後方向に揺れ動いた場合には、前記他方の建物の目地部側の床躯体を傾斜状態に位置させることができる目地プレート位置決め機構と、前記凹部内に位置する目地プレートおよび該凹部を覆うように一方の建物の目地部側床躯体に取付けられたカバープレートとからなることを特徴とする床用目地装置。
【請求項４】
目地部を介して設けられた左右の建物の目地部側床躯体に形成された一対の凹部と、この一対の凹部が形成された部位の左右の目地部側床躯体に両端部が取付けられた、該目地部の寸法が変化しても中央枢支部が常時目地部の中央部に位置する中央維持機構と、この中央維持機構の中央枢支部に枢支された中央支持バーと、この中央支持バーに中央部が枢支され、両端部が前記一対の凹部のほぼ中央部に位置して、該凹部内をスライド移動可能な複数個の支持バーと、この複数個の支持バーに前後方向にスライド移動可能に支持された、前記一対の凹部の前後方向の寸法とほぼ同じ寸法の多数個の目地プレートと、この多数個の目地プレートを常時並列状態に位置させ、左右の建物が異なる前後方向に揺れ動いた場合には、前記目地部に位置する多数個の目地プレートを傾斜状態に位置させることができる目地プレート位置決め機構と、前記一対の凹部内に位置する目地プレートおよび該一対の凹部を覆うように左右の建物の目地部側床躯体に取付けられた一対のカバープレートとからなることを特徴とする床用目地装置。
【請求項５】
多数個の目地プレートは前後方向にはスライド移動可能で、左右方向には係止状態となるように構成されていることを特徴とする請求項１ないし請求項4いずれかに記載の床用目地装置。
【請求項６】
多数個の目地プレートの両端部は弧状あるいは山形状に突出され、該突出部より外方へ先端部が突出するローラがそれぞれ取付けられていることを特徴とする請求項1ないし請求項5いずれかに記載の床用目地装置。
【請求項７】
目地プレート位置決め機構は多数個の目地プレートに並列状態で一直線となるように形成されたワイヤー貫通孔と、一端部が他方の建物の目地部側床躯体に固定され、他端部が前記多数個の目地プレートのワイヤー貫通孔を通過し、一方の建物の端部の目地プレートあるいは支持フレームにスプリングを介して取付けられるワイヤーとで構成されていることを特徴とする請求項１ないし請求項６いずれかに記載の床用目地装置。
【発明の詳細な説明】
【技術分野】
【０００１】
本発明は目地部を介して設けられた左右の建物間の床用目地部を覆う床用目地装置に関する。
【背景技術】
【０００２】
従来の床用目地装置は左右の建物が異なる前後方向に地震等によって揺れ動いた場合に、両端部に三角形状の隙間が生じるため、該隙間を覆うことができるように両端部にアジャストプレートを設けている。
【０００３】
このため、三角形状の隙間を覆う場合に、目地プレートとアジャストプレートとの間に段差が生じて危険になるという欠点があるとともに、目地部の両端部に位置する壁面間を覆う壁用目地装置が設置されている部位に使用すると、前記段差によって壁用目地装置の目地プレートの動作に悪影響を与えるという欠点があった。
【特許文献１】特許３３８２５７１号公報
【発明の開示】
【発明が解決しようとする課題】
【０００４】
本発明は以上のような従来の欠点に鑑み、左右の建物が異なる前後方向に揺れ動いても、目地部の両端部に三角形状の隙間が生じるのを防止できるとともに、壁用目地装置の下端部を同一平面で支持することができる、スムーズなスライド移動が可能で、美観の向上を図ることができる床用目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、一方の建物の目地部側床躯体に形成された凹部と、この凹部のほぼ中央部に先端部が該凹部内をスライド移動可能に位置し、後端部が該凹部と対応する部位の他方の建物の目地部側床躯体の両端部を除く部位に枢支ピンで枢支された複数個の支持バーを用いた支持フレームと、この支持フレームの両端部に位置するように後端部が他方の建物の目地部側床躯体に枢支ピンで枢支され、先端部が前記凹部の中央部に位置して、該凹部内をスライド移動可能な一対の端部支持バーと、この一対の端部支持バーの先端部を常時側壁方向に付勢する一対の付勢機構と、前記支持フレームおよび前記一対の端部支持バーに前後方向にスライド移動可能に支持された多数個の目地プレートと、この多数個の目地プレートを常時並列状態に位置させ、左右の建物が異なる前後方向に揺れ動いた場合には傾斜状態に位置させることができる目地プレート位置決め機構と、前記凹部内に位置する目地プレートおよび該凹部を覆うように一方の建物の目地部側床躯体に取付けられたカバープレートとで床用目地装置を構成している。
【発明の効果】
【０００７】
以上の説明から明らかなように、本発明にあっては次に列挙する効果が得られる。
【０００８】
（１）支持フレームおよび一対の端部支持バーに前後方向にスライド移動可能な多数個の目地プレートを用いているので、すのこ状の目地プレートにできる。
したがって、美観の向上と、該多数個の目地プレート上を走行する場合に、少なくとも２枚以上踏めるようにすることにより、滑りを防止する効果も得られる。
【０００９】
（２）前記（１）によって、目地プレート位置決め機構によって、左右の建物が異なる前後方向に揺れ動いた場合に、目地部の多数個の目地プレートを傾斜状態になるように前後方向へスライド移動させて、端部に三角形状の隙間が生じるのを確実に防止することができる。
したがって、安全に使用することができるとともに、端部に壁用目地装置が設置されていても、該壁用目地装置の下端部を確実に支持することができる。
【００１０】
（３）前記（１）によって、大きな目地プレートを用いないので、輸送や設置作業時にクレーン等の重機を用いることなく行なうことができる。
したがって、設置作業を容易にできる。
【００１１】
（４）請求項２、３、４も前記（１）〜（３）と同様な効果が得られる。
【００１２】
（５）請求項５、６も前記（１）〜（３）と同様な効果が得られるとともに、多数個の目地プレートの左右方向の移動時の前後方向の移動をスムーズに行なうことができる。
【発明を実施するための最良の形態】
【００１３】
以下、図面に示す本発明を実施するための最良の形態より、本発明を詳細に説明する。
【００１４】
図１ないし図９に示す本発明を実施するための最良の第１の形態において、１は目地部２を介して設けられた左右の建物３、３を連絡する部位の床部分の目地部を覆う本発明の床用目地装置で、この床用目地装置１は前記左右の建物３、３の一方の建物３の目地部側床躯体４に形成された、前記目地部２の寸法とほぼ同じ寸法の凹部５と、この凹部５と対応する部位の他方の建物３の開口部６が形成された部位の床躯体４に複数本のビス７等によって固定されたアングル状の支持金具８と、前記凹部５のほぼ中央部にローラ９が設けられた先端部が、該凹部５内をスライド移動可能に位置し、後端部が前記支持金具８に凹部５の両端部を除く部位に枢支ピン１０で枢支された複数個の支持バー１１、１１、１１、この複数個の支持バー１１、１１、１１の先端部間を固定する位置決めバー１２とからなる支持フレーム１３と、この支持フレーム１３の両端部に位置するように後端部が前記支持金具８に枢支ピン１０で枢支され、ローラ９が取付けられた先端部が前記凹部５の中央部に位置して、該凹部５内をスライド移動可能な一対の端部支持バー１４、１４と、この一対の端部支持バー１４、１４の先端部を常時側壁方向に付勢する一対の付勢機構１５、１５と、前記支持フレーム１３および前記一対の端部支持バー１４、１４に前後方向にスライド移動可能に支持された、前記凹部５の前後方向の寸法とほぼ同じ寸法に形成された多数個の目地プレート１６と、この多数個の目地プレート１６を常時並列状態に位置させ、左右の建物３、３が地震等によって異なる前後方向に揺れ動いた場合には傾斜状態に位置させることができる目地プレート位置決め機構１７と、前記凹部５内に位置する目地プレート１６および、該凹部５を覆うように前記一方の建物３の目地部側床躯体４に取付けられたカバープレート１８と、前記凹部５の目地部側の両端部に設けた前記多数個の目地プレート１６の出没を容易にガイドするガイド部材１９、１９とで構成されている。
【００１５】
前記一対の付勢機構１５、１５は図４に示すように、前記凹部５の目地部側中央部に固定された止め具２０と、前記凹部５の目地部側両端部の側壁２１、２１に固定されたアイボルト状のガイド部材２２、２２と、一端が前記止め具２０に固定され、他端部が前記ガイド部材２２、２２を通過して前記一対の端部支持バー１４、１４に固定された止め具２３、２３に固定されたスプリング２４が介装されたワイヤー２５とからなる一対の付勢杆２６、２６とで構成されている。
【００１６】
前記多数個の目地プレート１６は図５に示すように、ほぼ１０ｃｍ幅寸法に形成された目地プレート本体２７と、この目地プレート本体２７の一端部を下方へＬ字状に曲げ形成された一方の支持脚２８と、前記目地プレート本体２７の他端部を下方へＬ字状に曲げ、その先端部を逆Ｌ字状に曲げた、前記一方の支持脚２８を前後方向に支持する他方の支持脚２９と、前記目地プレート本体２７の両端部に円弧状あるいは山形状に外方へ突出するように形成された突出部３０、３０と、この突出部３０、３０の先端部より先端部が外方へ突出するようにそれぞれ取付けられたローラ３１、３１とで構成されている。
【００１７】
前記目地プレート位置決め機構１７は図６に示すように、前記多数個の目地プレート１６の両端部寄りの部位にそれぞれ左右方向に貫通する、中央部よりも両側部が拡開状の貫通孔３２、３２と、一端部が前記他方の建物３の目地部側床躯体４に固定された係止具３３、３３に固定され、他端部が前記並列された多数個の目地プレート１６の貫通孔３２、３２をそれぞれ通過し、前記一方の建物３の端部に位置する目地プレート１６のほぼ中央部に固定された係止具３４に固定されるスプリング３５が介装されたワイヤー３６とからなる一対の付勢杆３７、３７とで構成されている。
【００１８】
３８、３８は前記床用目地装置１の目地部２に位置する多数個の目地プレート１６の両端部上に位置する左右の建物３、３の側壁２１、２１、２１、２１間を覆う壁用目地装置で、この壁用目地装置３８、３８は左右の建物３、３が異なる前後左右方向の揺れ動きを吸収できる構成であれば、どんな構造のものであってもよい。
【００１９】
上記構成の床用目地装置１は、通常時は図１ないし図３に示すように目地部２を支持フレーム１３および一対の端部支持バー１４、１４上に並列状態に配置された多数個の目地プレート１６で覆われた状態となっている。
【００２０】
地震等によって左右の建物３、３が異なる左右方向に揺れ動き、目地部２が広くなったり、狭くなった場合には、図７および図８に示すように支持フレーム１３および一対の端部支持バー１４、１４に支持されている多数個の目地プレート１６の中央部側がガイド部材１９、１９にガイドされて凹部５内を左右方向にスライド移動し、カバープレート１８より出没して、その揺れ動きを吸収する。
【００２１】
左右の建物３、３が異なる前後方向に揺れ動いた場合には、図９に示すように支持フレーム１３および一対の端部支持バー１４、１４が枢支ピン１０、１０、１０を支点に先端部が前後方向に回動するとともに、該支持フレーム１３の目地部２に位置する多数個の目地プレート１６が目地プレート位置決め機構１７、１７によって傾斜状態となり、壁用目地装置３８、３８との間に隙間が生じるのを確実に阻止することができる。
[発明を実施するための異なる形態]
【００２２】
次に、図１０ないし図３０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１０ないし図１２に示す本発明を実施するための第２の形態において、前記本発明を実施するための最良の第１の形態と主に異なる点は、凹部５の底面５ａ、両側５ｂ、５ｂおよび反目地部側の壁面５ｃを覆う下地カバー３９と、この下地カバー３９の両側の目地部側端部に一体形成されたガイド部材１９Ａ、１９Ａと、他方の建物３の目地部側の床躯体４に支持フレーム１３および一対の端部支持バー１４、１４の後端部を支持する支持フレーム支持凹部４０と、前記支持フレーム１３の先端部と反目地部側の壁面５ｃとの中間部に位置する左右方向にスライド移動可能なカバープレート支持機構４１とを用いた点で、このように構成した床用目地装置１Ａにしても、前記本発明を実施するための最良の第１の形態と同様な作用効果が得られる。
【００２４】
図１３ないし図１５に示す本発明を実施するための第３の形態において、前記本発明を実施するための最良の第１の形態と主に異なる点は、支持フレーム１３の後端部を支持金具８に固定的に取付けるとともに、一対の端部支持バー１４、１４の後端部を支持金具８の両端部に形成されたガイドレール部８ａ、８ａを前後方向にスライド移動可能に支持するとともに、先端部を接続バー４２で固定し、該一対の端部支持バー１４、１４の先端部および後端部を常時壁面方向に付勢するスプリング４３、４３、４３、４３を用いた付勢機構１５Ａを用いた点で、このように構成した床用目地装置１Ｂにしても、前記本発明を実施するための最良の第１の形態と同様な作用効果が得られる。
【００２５】
図１６ないし図１８に示す本発明を実施するための第４の形態において、前記本発明を実施するための第３の形態と主に異なる点は、先端部が凹部５内を左右方向にのみ移動可能に支持させるとともに、後端部をガイドレールに形成された支持金具８Ａに前後方向にスライド移動可能に支持させた支持フレーム１３Ａを用いた点で、このように構成された床用目地装置１Ｃも、前記本発明を実施するための第３の形態と同様な作用効果が得られる。
【００２６】
図１９ないし図２１に示す本発明を実施するための第５の形態において、前記本発明を実施するための最良の第１の形態と主に異なる点は、リップミゾ形鋼形状の多数個の目地プレート１６Ａを用い、該多数個の目地プレート１６Ａに２対のガイドローラ４４、４４、４４、４４を用い、該２対のガイドローラ４４、４４、４４、４４の位置する両側板１６ａ、１６ａに貫通孔４５、４５を形成した目地プレート位置決め機構１７Ａ、１７Ａを用いた点で、このように構成した床用目地装置１Ｄにしても、前記本発明を実施するための最良の第１の形態と同様な作用効果が得られる。
【００２７】
図２２ないし図２４に示す本発明を実施するための第６の形態において、前記本発明を実施するための最良の第１の形態と主に異なる点は、玉縁形状の係止片４６と、この係止片４６がスライド移動可能に挿入される係合孔４７を両端部に形成した多数個の目地プレート１６Ｂと、該多数個の目地プレート１６Ｂの中央部に配置した１個の目地プレート位置決め機構１７を用いた点で、このように構成した床用目地装置１Ｅにしても、前記本発明を実施するための最良の第１の形態と同様な作用効果が得られる。
【００２８】
図２５ないし図２７に示す本発明を実施するための第７の形態において、前記本発明を実施するための最良の第１の形態と主に異なる点は、左右の建物３、３の目地部側の床躯体４、４に形成した一対の凹部５、５と、この一対の凹部５、５が形成された部位の左右の目地部側の床躯体４、４に固定された一対のレール４８、４８、この一対のレール４８、４８にほぼ４５度の傾斜で両端部がスライド移動可能に支持された支持アーム４９、４９、この支持アーム４９、４９のほぼ中央部に枢支ピン５０、５０で枢支された中央維持バー５１とからなる中央維持機構５２と、この中央維持機構５２の中央維持バー５１、５１に中央部が枢支された支持バー１１、１１、１１および一対の端部支持バー１４、１４と、この支持バー１１、１１、１１および一対の端部支持バー１４、１４に並列状態で支持された多数個の目地プレート１６と、前記支持バー１１の両端部に位置する目地プレート１６、１６を固定し、該固定目地プレート１６、１６に両端部が取付けられた一対の目地プレート位置決め機構１７、１７と、前記一対の凹部５、５を覆う一対のカバープレート１８、１８とを用いた点で、このように構成した床用目地装置１Ｆにしても、前記本発明を実施するための最良の第１の形態と同様な作用効果が得られる。
【００２９】
図２８ないし図３０に示す本発明を実施するための第８の形態において、前記本発明を実施するための第７の形態と主に異なる点は、両端部の枢支部が凹部５、５が形成された床躯体４、４に取付金具５３、５３で取付けられた一対の四角枠状のリンク５４、５４と、このリンク５４、５４の対向するアーム５４ａ、５４ａの中央部に枢支ピン５５、５５で両端部が枢支された中央維持アーム５６、５６、この中央維持アーム５６、５６の中央部に枢支ピン５０、５０で枢支された中央維持バー５１とからなる中央維持機構５２Ａと、両端部が山形状あるいは半楕円形状に形成された多数個の目地プレート１６Ｃを用いた点で、このように構成された床用目地装置１Ｇにしても、前記本発明を実施するための第７の形態と同様な作用効果が得られる。
【産業上の利用可能性】
【００３０】
本発明は床用目地装置を製造する産業および、該床用目地装置を設置する産業で利用される。
【図面の簡単な説明】
【００３１】
【図１】本発明を実施するための最良の第１の形態の平面図。
【図２】本発明を実施するための最良の第１の形態の底面図。
【図３】図１の３−３線に沿う拡大断面図。
【図４】本発明を実施するための最良の第１の形態の一対の付勢機構の説明図。
【図５】本発明を実施するための最良の第１の形態の目地プレートの説明図。
【図６】本発明を実施するための最良の第１の形態の目地プレート位置決め機構の説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための最良の第１の形態の異なる前後方向の動作説明図。
【図１０】本発明を実施するための第２の形態の平面図。
【図１１】本発明を実施するための第２の形態の底面図。
【図１２】図１０の１２−１２線に沿う拡大断面図。
【図１３】本発明を実施するための第３の形態の平面図。
【図１４】本発明を実施するための第３の形態の底面図。
【図１５】図１３の１５−１５線に沿う拡大断面図。
【図１６】本発明を実施するための第４の形態の平面図。
【図１７】本発明を実施するための第４の形態の底面図。
【図１８】図１６の１８−１８線に沿う拡大断面図。
【図１９】本発明を実施するための第５の形態の平面図。
【図２０】本発明を実施するための第５の形態の底面図。
【図２１】図１９の２１−２１線に沿う拡大断面図。
【図２２】本発明を実施するための第６の形態の平面図。
【図２３】本発明を実施するための第６の形態の底面図。
【図２４】図２２の２４−２４線に沿う拡大断面図。
【図２５】本発明を実施するための第７の形態の平面図。
【図２６】本発明を実施するための第７の形態の底面図。
【図２７】図２５の２７−２７線に沿う拡大断面図。
【図２８】本発明を実施するための第８の形態の平面図。
【図２９】図２８の２９−２９線に沿う拡大断面図。
【図３０】本発明を実施するための第８の形態の中央維持機構の取り付け状態を示す説明図。
【符号の説明】
【００３２】
１、１Ａ、１Ｂ、１Ｃ、１Ｄ、１Ｅ、１Ｆ、１Ｇ：床用目地装置、
２：目地部、                                    ３：建物、
４：床躯体、                                                ５：凹部、
６：開口部、                                                ７：ビス、
８、８Ａ：支持金具、                    ９：ローラ、
１０：枢支ピン、                            １１：支持バー、
１２：位置決めバー、                    １３、１３Ａ：支持フレーム、
１４：端部支持バー、                    １５、１５Ａ：付勢機構、
１６、１６Ａ、１６Ｂ、１６Ｃ：多数個の目地プレート、
１７、１７Ａ：目地プレート位置決め機構、
１８：カバープレート、                １９、１９Ａ：ガイド部材、
２０：止め具、                                ２１：側壁、
２２：ガイド部材、                                    ２３：止め具、
２４：スプリング、                                    ２５：ワイヤー、
２６：付勢杆、                                ２７：目地プレート本体、
２８：一方の支持脚、                    ２９：他方の支持脚、
３０：突出部、                                ３１：ローラ、
３２：貫通孔、                                ３３：係止具、
３４：係止具、                                ３５：スプリング、
３６：ワイヤー、                            ３７：付勢杆、
３８：壁用目地装置、                    ３９：下地カバー、
４０：支持フレーム支持凹部、    ４１：カバープレート支持機構、
４２：接続バー、                            ４３：スプリング、
４４：ガイドローラ、                    ４５：貫通孔、
４６：係止片、                                ４７：係合孔、
４８：レール、                                ４９：支持アーム、
５０：枢支ピン、                            ５１：中央維持バー、
５２、５２Ａ：中央維持機構、    ５３：取付金具、
５４：リンク、                                ５５：枢支ピン、
５６：中央維持アーム。
【図１】
2005082997.tif 000003
【図２】
2005082997.tif 000004
【図３】
2005082997.tif 000005
【図４】
2005082997.tif 000006
【図５】
2005082997.tif 000007
【図６】
2005082997.tif 000008
【図７】
2005082997.tif 000009
【図８】
2005082997.tif 000010
【図９】
2005082997.tif 000011
【図１０】
2005082997.tif 000012
【図１１】
2005082997.tif 000013
【図１２】
2005082997.tif 000014
【図１３】
2005082997.tif 000015
【図１４】
2005082997.tif 000016
【図１５】
2005082997.tif 000017
【図１６】
2005082997.tif 000018
【図１７】
2005082997.tif 000019
【図１８】
2005082997.tif 000020
【図１９】
2005082997.tif 000021
【図２０】
2005082997.tif 000022
【図２１】
2005082997.tif 000023
【図２２】
2005082997.tif 000024
【図２３】
2005082997.tif 000025
【図２４】
2005082997.tif 000026
【図２５】
2005082997.tif 000027
【図２６】
2005082997.tif 000028
【図２７】
2005082997.tif 000029
【図２８】
2005082997.tif 000030
【図２９】
2005082997.tif 000031
【図３０】
2005082997.tif 000032